【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
縮小条件に基づいて元画像を縮小して縮小画像を生成する縮小画像生成手段と、
前記縮小画像に、設定された第１の画像処理条件に基づく画像処理を行う第１の画像処理手段と、
前記画像処理された縮小画像を表示する表示手段と、
前記第１の画像処理条件を調整する調整手段と、
前記縮小条件に応じて、前記調整された第１の画像処理条件から第２の画像処理条件を生成する画像処理条件生成手段と、
前記元画像に対して、生成された第２の画像処理条件に基づく画像処理を行う第２の画像処理手段とを有することを特徴とする画像処理装置。
【請求項２】
前記表示手段による表示と、前記調整手段による調整とを所望の縮小画像が得られるまで繰り返すことを特徴とする請求項１に記載の画像処理装置。
【請求項３】
前記第２の画像処理条件を前記元画像と共に画像ファイルとして格納する格納手段を更に備えることを特徴とする請求項１に記載の画像処理装置。
【請求項４】
前記画像処理は、照射野認識処理を含むことを特徴とする請求項１に記載の画像処理装置。
【請求項５】
前記画像処理手段は、複数の異なる画像処理を行い、
各々の画像処理にかかる前記第１の画像処理条件及び前記第２の画像処理条件は、前記画像処理の種類に応じた方法により関連付けられることを特徴とする請求項１に記載の画像処理装置。
【請求項６】
縮小条件に基づいて元画像を縮小して縮小画像を生成する縮小画像生成ステップと、
前記縮小画像に、設定された第１の画像処理条件に基づく画像処理を行う第１の画像処理ステップと、
前記画像処理された縮小画像を表示指示する表示指示ステップと、
前記第１の画像処理条件を調整指示する調整指示ステップと、
前記縮小条件に応じて、前記調整された第１の画像処理条件から第２の画像処理条件を生成する画像処理条件生成ステップと、
前記元画像に対して、生成された第２の画像処理条件に基づく画像処理を行う第２の画像処理ステップとを有することを特徴とする画像処理方法。
【請求項７】
縮小条件に基づいて元画像を縮小して縮小画像を生成する縮小画像生成ステップと、
前記縮小画像に、設定された第１の画像処理条件に基づく画像処理を行う第１の画像処理ステップと、
前記画像処理された縮小画像を表示指示する表示指示ステップと、
前記第１の画像処理条件を調整指示する調整指示ステップと、
前記縮小条件に応じて、前記調整された第１の画像処理条件から第２の画像処理条件を生成する画像処理条件生成ステップと、
前記元画像に対して、生成された第２の画像処理条件に基づく画像処理を行う第２の画像処理ステップと
をコンピュータに実行させるプログラムを記憶したコンピュータ読み取り可能な記憶媒体。
【請求項８】
縮小条件に基づいて元画像を縮小して縮小画像を生成する縮小画像生成手段と、
前記縮小画像に、設定された第１の画像処理条件に基づく画像処理を行う第１の画像処理手段と、
前記画像処理された縮小画像を表示する表示手段と、
前記第１の画像処理条件を調整する調整手段と、
前記元画像に対して、設定された第２の画像処理条件に基づく画像処理を行う第２の画像処理手段とを有し、
前記第１及び第２の画像処理条件は同一タイプの画像処理を行うための画像処理条件であり、前記縮小条件によって関連付けられていることを特徴とする画像処理装置。
【手続補正２】
【補正対象書類名】明細書
【補正対象項目名】０００８
【補正方法】変更
【補正の内容】
【０００８】
【課題を解決するための手段】
斯かる目的下において、第１の発明に係る画像処理装置は、縮小条件に基づいて元画像を縮小して縮小画像を生成する縮小画像生成手段と、前記縮小画像に、設定された第１の画像処理条件に基づく画像処理を行う第１の画像処理手段と、前記画像処理された縮小画像を表示する表示手段と、前記第１の画像処理条件を調整する調整手段と、前記縮小条件に応じて、前記調整された第１の画像処理条件から第２の画像処理条件を生成する画像処理条件生成手段と、前記元画像に対して、生成された第２の画像処理条件に基づく画像処理を行う第２の画像処理手段とを有することを特徴とする。
【手続補正３】
【補正対象書類名】明細書
【補正対象項目名】０００９
【補正方法】変更
【補正の内容】
【０００９】
第２の発明に係る画像処理装置は、上記第１の発明において、前記表示手段による表示と、前記調整手段による調整とを所望の縮小画像が得られるまで繰り返すことを特徴とする。
【手続補正４】
【補正対象書類名】明細書
【補正対象項目名】００１０
【補正方法】変更
【補正の内容】
【００１０】
第３の発明に係る画像処理装置は、上記第１の発明において、前記第２の画像処理条件を前記元画像と共に画像ファイルとして格納する格納手段を更に備えることを特徴とする。
【手続補正５】
【補正対象書類名】明細書
【補正対象項目名】００１１
【補正方法】変更
【補正の内容】
【００１１】
第４の発明に係る画像処理装置は、上記第１の発明において、前記画像処理は、照射野認識処理を含むことを特徴とする。
【手続補正６】
【補正対象書類名】明細書
【補正対象項目名】００１２
【補正方法】変更
【補正の内容】
【００１２】
第５の発明に係る画像処理装置は、上記第１の発明において、前記画像処理手段は、複数の異なる画像処理を行い、各々の画像処理にかかる前記第１の画像処理条件及び前記第２の画像処理条件は、前記画像処理の種類に応じた方法により関連付けられることを特徴とする。
【手続補正７】
【補正対象書類名】明細書
【補正対象項目名】００１３
【補正方法】変更
【補正の内容】
【００１３】
第６の発明に係る画像処理方法は、縮小条件に基づいて元画像を縮小して縮小画像を生成する縮小画像生成ステップと、前記縮小画像に、設定された第１の画像処理条件に基づく画像処理を行う第１の画像処理ステップと、前記画像処理された縮小画像を表示指示する表示指示ステップと、前記第１の画像処理条件を調整指示する調整指示ステップと、前記縮小条件に応じて、前記調整された第１の画像処理条件から第２の画像処理条件を生成する画像処理条件生成ステップと、前記元画像に対して、生成された第２の画像処理条件に基づく画像処理を行う第２の画像処理ステップとを有することを特徴とする。
【手続補正８】
【補正対象書類名】明細書
【補正対象項目名】００１４
【補正方法】変更
【補正の内容】
【００１４】
第７の発明に係るコンピュータ読み取り可能な記憶媒体は、縮小条件に基づいて元画像を縮小して縮小画像を生成する縮小画像生成ステップと、前記縮小画像に、設定された第１の画像処理条件に基づく画像処理を行う第１の画像処理ステップと、前記画像処理された縮小画像を表示指示する表示指示ステップと、前記第１の画像処理条件を調整指示する調整指示ステップと、前記縮小条件に応じて、前記調整された第１の画像処理条件から第２の画像処理条件を生成する画像処理条件生成ステップと、前記元画像に対して、生成された第２の画像処理条件に基づく画像処理を行う第２の画像処理ステップとをコンピュータに実行させるプログラムを記憶したことを特徴とする。
【手続補正９】
【補正対象書類名】明細書
【補正対象項目名】００１５
【補正方法】変更
【補正の内容】
【００１５】
第８の発明に係る画像処理装置は、縮小条件に基づいて元画像を縮小して縮小画像を生成する縮小画像生成手段と、前記縮小画像に、設定された第１の画像処理条件に基づく画像処理を行う第１の画像処理手段と、前記画像処理された縮小画像を表示する表示手段と、前記第１の画像処理条件を調整する調整手段と、前記元画像に対して、設定された第２の画像処理条件に基づく画像処理を行う第２の画像処理手段とを有し、前記第１及び第２の画像処理条件は同一タイプの画像処理を行うための画像処理条件であり、前記縮小条件によって関連付けられていることを特徴とする。
【手続補正１０】
【補正対象書類名】明細書
【補正対象項目名】００１６
【補正方法】削除
【補正の内容】